(57)【要約】      （修正有）【課題】大地震などの被災時の停電・上水断水時などに、多くの家庭が簡単に取扱いができて、大腸菌などが除去された緊急用の飲用水を供給する、雨水貯留飲料水造水装置を提供する。【解決手段】複数階のマンション・住宅の屋上や屋根に降雨した雨水を集水し、それに含まれる粗い塵（夾雑物）を粗塵除去具で除去した雨水を粗塵除去雨水貯留タンクに貯留し、粗塵除去雨水貯留タンクに一体連結された均等分配ホースを介して粗塵除去雨水を均等に貯留雨水分配先のマンション等各階・各家庭に設置されたステンレス製などの遮光性材料からなる集水雨水均等分配遮光性タンク１に分配した。また、該集水雨水均等分配遮光性タンク１を、精密濾過装置２とそれに縦状に一体連結された精密濾過水貯留遮光性タンク３とからなる縦状一体構造に縦並列略Ｕ字型に精密濾過水逆流洗浄具６を介して一体下部連結構造とした。【選択図】図１
0003184913.tif 000002
【実用新案登録請求の範囲】
【請求項１】
複数階のマンション・住宅の屋上や屋根に降雨した雨水を集水して、集水した雨水に含まれる粗い塵（夾雑物）を粗塵除去具で除去した雨水を粗塵除去雨水貯留タンクに貯留し、粗塵除去雨水貯留タンクに一体連結された均等分配ホースを介して粗塵除去雨水を均等に分配された貯留雨水分配先のマンション等建造物の各階・各家庭に設置された集水雨水均等分配遮光性タンク１と、該集水雨水均等分配遮光性タンク１と一体連結された精密濾過装置２と該精密濾過装置２に縦状に一体連結された精密濾過水貯留遮光性タンク３とからなる雨水貯留飲用水造水装置４において、該集水雨水均等分配遮光性タンク１は集水雨水の不足を上水で補給用の水量調整自動給水具と未精密濾過水吐出具５を有した構造であり、縦状に一体連結された該精密濾過装置２と該精密濾過水貯留遮光性タンク３の一体構造が該集水雨水均等分配遮光性タンク１と縦並列略Ｕ字型に精密濾過水逆流洗浄具６を介して一体下部連結構造であり、該精密濾水貯留遮光性タンク３は上部に空気自動吸排気調節具７と下部に精密濾過水吐出具８を有した構造であることを特徴とする雨水貯留飲料水造水装置。
【請求項２】
前記精密濾過装置２の濾過膜の孔径が０．１〜１．０μｍのフィルタ構造であることを特徴とする請求項１記載の雨水貯留飲用水造水装置。
【考案の詳細な説明】
【技術分野】
【０００１】
本考案は、マンション・住宅の屋上や屋根に降った雨水を集水してガーデニングなどの一般用水として利用し、さらに精密濾過して飲用水として利用するための雨水貯留飲用水造水装置に関するものであり、さらに、濾過装置の負荷低減・寿命延長を目的に重力を利用して無動力での逆洗浄機能をも付加したものである。
【背景技術】
【０００２】
雨水の有効利用を図るため、マンション・住宅の屋上や屋根に降った雨水を貯留槽に集水し、浄化処理をした後、ガーデニングなどの一般用水として利用している。
【０００３】
しかしながら、簡単な浄化処理をしたのみでは、雨水中に大腸菌などのウイルスが残存していて、飲用水として利用することはできなく、大規模な地震発生による断水状態時などの緊急用飲用水の確保が求められている。
【０００４】
この問題を解決することを目的に、中空糸膜型濾過フィルタやＭＦ膜（精密濾過膜）及びやＵＦ膜（限外濾過膜）等を利用して大腸菌などのウイルスを除去する提案（例えば、特許文献１参照）が開示されているが、大腸菌などのウイルスを完全に除去するためには、ＵＦ膜の場合であれば、濾過膜の孔径を０．００１〜０．０１μｍと小さくする必要があり、孔径が小さいため濾過膜が目詰まりしやすく、濾過能力が減少するといった課題が残されている。
【先行技術文献】
【特許文献】
【０００５】
【特許文献１】特開２０１０−１０６６０５５号  公報
【考案の概要】
【考案が解決しようとする課題】
【０００６】
マンション・住宅の屋上や屋根に降った雨水を貯留槽に集水し、浄化処理及び精密濾過処理をして飲用水として利用するために、大腸菌などのウイルスを完全に除去し、濾過膜の目詰まりをなくし、濾過能力を高め、飲用水としての利用を図る。
【課題を解決するための手段】
【０００７】
上記課題を解決するため、請求項１に係る考案は、粗塵除去雨水を精密濾過した精密濾過水を、精密濾過貯留タンク上部の空気自動吸排気調節具を介して、重力を利用して無動力で、精密濾過水を逆方向に流すことで逆洗浄を可能とし、目詰まりをなくし濾過能力を高めた。
【０００８】
また、請求項２に係る考案は、請求項１に記載の精密濾過膜において、大腸菌類は通常０．５〜１μｍの大きさを持ち、精密濾過水中に残存しているウイルスは何れのタンクも遮光性であるので、栄養分がなく死滅し、濾過能力を考慮すれば、精密濾過膜の孔径は０．１〜１．０μｍが好適であり、さらに好ましくは、０．２〜０．５μｍとした。
【考案の効果】
【０００９】
集水雨水均等分配遮光性タンクは、降水量が少ない場合でも、上水で補給する水量調整自動給水具（図示せず）を有する構造なので必要な水量は常時確保できている。
【００１０】
そして、大腸菌などのウイルス除去用の精密濾過は、従来の濾過膜の孔径より大きくても可能な構造としたので、濾過能力を高めることができる。
【００１１】
さらに、精密濾過水貯留遮光性タンクは上部に空気自動吸排気調節具を有する構造なので、精密濾過水を逆方向に流すことで、精密濾過膜の目詰まりを防ぐ逆洗浄を可能とし、濾過能力を高め、精密濾過膜の寿命も長めた。
【図面の簡単な説明】
【００１２】
【図１】本考案の雨水貯留飲用水造水装置の一実施例を示す。
【考案を実施するための形態】
【００１３】
複数階のマンション・住宅の屋上や屋根に降雨した雨水を集水して、集水した雨水に含まれる粗い塵（夾雑物）を粗塵除去具で除去した雨水を粗塵除去雨水貯留タンクに貯留し、粗塵除去雨水貯留タンクに一体連結された均等分配ホースを介して粗塵除去雨水を均等に貯留雨水分配先のマンション等各階・各家庭に設置されたステンレス製などの遮光性材料からなる集水雨水均等分配遮光性タンク１に分配した。
【００１４】
次に、該集水雨水均等分配遮光性タンク１を、精密濾過装置２と該精密濾過装置２に縦状に一体連結された精密濾過水貯留遮光性タンク３とからなる縦状一体構造に縦並列略Ｕ字型に精密濾過水逆流洗浄具６を介して一体下部連結構造とした。
【００１５】
なお、該集水雨水均等分配遮光性タンク１は集水雨水の不足を上水の補給用のボールタップなどの水量調整自動給水具と蛇口などの未精密濾過水吐出具５を有した構造とした。
【００１６】
また、該精密濾水貯留遮光性タンク３は上部に空気抜き弁などの空気自動吸排気調節具７と下部に蛇口などの精密濾過水吐出具８を有した構造とした。
【００１７】
さらに、該精密濾過装置２の濾過膜の孔径は、大腸菌などのウイルスの除去や濾過能力を考慮して、好適には０．１〜１．０μｍ、さらに好ましくは０．２〜０．５μｍのフィルタ構造とした。
【実施例】
【００１８】
本願考案の各貯留タンクは、残存ウイルスなどに栄養素を与えず死滅させるために、ステンレスなどの遮光性材料を例示しているが、材質については、本来の機能を有するものであれば特に限定されるものではない。
【００１９】
また、水量調整自動給水具はボールタップを、未精密濾過水吐出具及び精密濾過水吐出具は蛇口を、空気自動吸排気調節具は空気抜き弁を各々例示しているが、本来の機能を有するものであれば特に限定されるものではない。
【産業上の利用可能性】
【００２０】
本考案は、大規模な地震などの災害が発生して、上水道や電気などのライフラインが大きく被災して断水状態になった場合などの飲用水などの生活用水の確保に有効である。
【符号の説明】
【００２１】
１  集水雨水均等分配遮光性タンク
２  精密濾過装置
３  精密濾過水貯留遮光性タンク
４  雨水貯留飲用水造水装置
５  未精密濾過水吐出具
６  精密濾過水逆流洗浄具
７  空気自動吸排気調節具
８  精密濾過水吐出具
【図１】
0003184913.tif 000003